(57)【要約】【課題】吸音性能の低下を防止することができるようにする。【解決手段】第１の枠体２の第２の枠体３に対向する側に並設された複数の第１のリブ２ｂと、第２の枠体３の第１の枠体２に対向する側に並設された複数の第２のリブ３ｂとで、多孔板６が狭持されている。【選択図】図１
2010061078.tif 000002
【特許請求の範囲】
【請求項１】
音源からの音を吸収する吸音構造体であって、
内部に空間が形成され、多数の貫通孔を備えた多孔面を有する箱部材と、
前記箱部材の内部に対向配置された第１の枠体および第２の枠体と、
前記第１の枠体と前記第２の枠体との間に設けられ、多数の貫通孔を有する多孔板と、
を有し、
前記第１の枠体は、第１の枠本体と、当該第１の枠本体の前記第２の枠体に対向する側に所定の間隔で並設された複数の第１のリブとを有し、
前記第２の枠体は、第２の枠本体と、当該第２の枠本体の前記第１の枠体に対向する側に所定の間隔で並設された複数の第２のリブとを有し、
前記多孔板は、前記第１のリブと前記第２のリブとで狭持されていることを特徴とする吸音構造体。
【請求項２】
前記第１のリブと前記第２のリブとは、互いに対向しない位置に配置されていることを特徴とする請求項１に記載の吸音構造体。
【請求項３】
前記第１の枠体は、前記第１の枠本体の前記第２の枠体に対向する側の両端に、第１の側壁を有しており、
前記第２の枠体は、前記第２の枠本体の前記第１の枠体に対向する側の両端に、前記多孔板が前記第１のリブと前記第２のリブとで狭持された際に前記第１の側壁に当接する第２の側壁を有しており、
前記第１のリブは、前記多孔板に直交する方向の長さが前記第１の側壁よりも長いことを特徴とする請求項２に記載の吸音構造体。
【請求項４】
前記第２のリブは、前記多孔板に直交する方向の長さが前記第２の側壁よりも長いことを特徴とする請求項３に記載の吸音構造体。
【請求項５】
前記第１のリブ及び／又は前記第２のリブは、ランダムな間隔で並設されていることを特徴とする請求項１乃至４のいずれかに記載の吸音構造体。
【請求項６】
前記第１の枠体と前記第２の枠体との間に設けられた１以上の第３の枠体を更に有し、
前記第３の枠体は、第３の枠本体と、当該第３の枠本体の前記第２の枠体に対向する側に所定の間隔で並設された複数の前記第１のリブと、前記第３の枠本体の前記第１の枠体に対向する側に所定の間隔で並設された複数の前記第２のリブとを有し、
前記多孔板は複数であって、一の多孔板を狭持する前記第１のリブ及び前記第２のリブを一対のリブとすると、それぞれが異なる一対のリブで狭持されていることを特徴とする請求項１乃至５のいずれかに記載の吸音構造体。
【請求項７】
前記第１の枠体および前記第２の枠体は、非電導体で形成されていることを特徴とする請求項１乃至６のいずれかに記載の吸音構造体。
【発明の詳細な説明】
【技術分野】
【０００１】
本発明は、騒音発生源からの音を低減させる吸音構造体に関する。
【背景技術】
【０００２】
従来、吸音構造体においては、多数の貫通孔を有する多孔板と、貫通孔を有しない板とを対向配置させて、ヘルムホルツ共鳴原理を用いて共鳴周波数の音を吸音するとともに、貫通孔を通過する空気に粘性減衰作用を生じさせて幅広い周波数の音を吸音するように構成されたものがある。
【０００３】
特許文献１には、箱部材の内部に設けられた複数の枠部材の各々で、多孔板を狭持する構成の吸音構造体が開示されている。この構成によれば、多孔板の４辺が、音源からの音が進行する進行方向の前後に狭持されることとなる。
【０００４】
【特許文献１】特開２００８−１３８５０５号公報
【発明の開示】
【発明が解決しようとする課題】
【０００５】
しかしながら、特許文献１のように、多孔板の４辺が枠部材で狭持される構成であると、多孔板の枠部材で狭持されていない部分が、音圧によって音の進行方向の前後に振動し、吸音性能が低下するという問題がある。
【０００６】
本発明の目的は、吸音性能の低下を防止することが可能な吸音構造体を提供することである。
【課題を解決するための手段及び効果】
【０００７】
本発明の吸音構造体は、音源からの音を吸収する吸音構造体であって、内部に空間が形成され、多数の貫通孔を備えた多孔面を有する箱部材と、前記箱部材の内部に対向配置された第１の枠体および第２の枠体と、前記第１の枠体と前記第２の枠体との間に設けられ、多数の貫通孔を有する多孔板と、を有し、前記第１の枠体は、第１の枠本体と、当該第１の枠本体の前記第２の枠体に対向する側に所定の間隔で並設された複数の第１のリブとを有し、前記第２の枠体は、第２の枠本体と、当該第２の枠本体の前記第１の枠体に対向する側に所定の間隔で並設された複数の第２のリブとを有し、前記多孔板は、前記第１のリブと前記第２のリブとで狭持されていることを特徴とする。
【０００８】
上記の構成によれば、複数の第１のリブと複数の第２のリブとで多孔板が狭持されることによって、多孔板の複数の部分が狭持されているから、音圧による多孔板の振動が抑制される。これにより、吸音性能の低下を防止することができる。
【０００９】
また、本発明の吸音構造体において、前記第１のリブと前記第２のリブとは、互いに対向しない位置に配置されていてよい。上記の構成によれば、第１のリブと第２のリブとが、互いに対向しない位置に配置されていることによって、第１のリブ同士で仕切られた空間と、第２のリブ同士で仕切られた空間とが、リブの並設方向にずれている。ここで、第１のリブ同士で仕切られた空間および第２のリブ同士で仕切られた空間においては、音が進行する方向に直交する方向に共鳴現象がそれぞれ発生する。しかしながら、第１のリブ同士で仕切られた空間と第２のリブ同士で仕切られた空間とが、リブの並設方向にずれていることによって、両者が多孔板を挟んで連通されているから、共鳴現象が緩和される。これにより、吸音性能を更に向上させることができる。
【００１０】
また、本発明の吸音構造体において、前記第１の枠体は、前記第１の枠本体の前記第２の枠体に対向する側の両端に、第１の側壁を有しており、前記第２の枠体は、前記第２の枠本体の前記第１の枠体に対向する側の両端に、前記多孔板が前記第１のリブと前記第２のリブとで狭持された際に前記第１の側壁に当接する第２の側壁を有しており、前記第１のリブは、前記多孔板に直交する方向の長さが前記第１の側壁よりも長くてよい。上記の構成によれば、第１のリブは、多孔板に直交する方向の長さが第１の側壁よりも長いから、多孔板が第１のリブと第２のリブとで狭持され、第１の側壁に第２の側壁が当接した際に、第１のリブによって、多孔板がリブの並設方向に沿って波状に変形されることになる。これにより、第１のリブの先端において多孔板に張力が生じるから、多孔板の振動を一層抑制することができる。また、多孔板が第１のリブによって波状に変形されることで、音に対向する表面積が増加されるから、吸音性能を更に向上させることができる。
【００１１】
また、本発明の吸音構造体において、前記第２のリブは、前記多孔板に直交する方向の長さが前記第２の側壁よりも長くてよい。上記の構成によれば、第２のリブは、多孔板に直交する方向の長さが第２の側壁よりも長いから、多孔板が第１のリブと第２のリブとで狭持され、第１の側壁に第２の側壁が当接した際に、第２のリブによって、多孔板がリブの並設方向に沿って更に波状に変形されることになる。これにより、第２のリブの先端において多孔板に張力が生じるから、多孔板の振動を更に一層抑制することができる。また、多孔板が第１のリブと第２のリブとによって波状に変形されることで、音に対向する表面積が一層増加されるから、吸音性能を更に一層向上させることができる。
【００１２】
また、本発明の吸音構造体において、前記第１のリブ及び／又は前記第２のリブは、ランダムな間隔で並設されていてよい。上記の構成によれば、第１のリブ及び／又は第２のリブが、ランダムな間隔で並設されることによって、第１のリブ同士で仕切られた空間及び／又は第２のリブ同士で仕切られた空間が、異なる複数のサイズにされている。これにより、ヘルムホルツ共鳴原理で吸音可能な共鳴周波数の数が多くなるから、幅広い周波数の音を吸音することができる。
【００１３】
また、本発明の吸音構造体においては、前記第１の枠体と前記第２の枠体との間に設けられた１以上の第３の枠体を更に有し、前記第３の枠体は、第３の枠本体と、当該第３の枠本体の前記第２の枠体に対向する側に所定の間隔で並設された複数の前記第１のリブと、前記第３の枠本体の前記第１の枠体に対向する側に所定の間隔で並設された複数の前記第２のリブとを有し、前記多孔板は複数であって、一の多孔板を狭持する前記第１のリブ及び前記第２のリブを一対のリブとすると、それぞれが異なる一対のリブで狭持されていてよい。上記の構成によれば、第３の枠体の数を増減させることによって、多孔板の数を容易に増減させることができる。
【００１４】
また、本発明の吸音構造体において、前記第１の枠体および前記第２の枠体は、非電導体で形成されていてよい。上記の構成によれば、第１の枠体および第２の枠体を非電導体で形成することによって、第１のリブと第２のリブとで狭持される多孔板の電食を防止することができる。
【発明を実施するための最良の形態】
【００１５】
以下、本発明の好適な実施の形態について、図面を参照しつつ説明する。
【００１６】
［第１の実施の形態］
図１は、本発明の第１の実施の形態における吸音構造体１０の構成図である。図１に示すように、本実施の形態の吸音構造体１０は、内部に空間が形成された箱部材１を有している。箱部材１は、矢印で示す音源からの音の進行方向に対して、音源側に、多数の貫通孔１ａを備えた多孔面１ｂを有しているとともに、音源側とは反対側に、貫通孔を有しない閉塞面１ｃを有している。なお、本実施の形態の箱部材１は、側面に多数の貫通孔を有していないが、側面に多数の貫通孔を有していてもよい。また、箱部材１は、多孔面１ｂを音源側に有する構成に限定されない。
【００１７】
また、吸音構造体１０は、箱部材１の内部に対向配置された第１の枠体２および第２の枠体３を有している。本実施の形態の吸音構造体１０においては、音源側に第１の枠体２が配置され、音源側とは反対側に第２の枠体３が配置されている。
【００１８】
第１の枠体２は、第１の枠本体２ａと、第１の枠本体２ａの第２の枠体３に対向する側（音源側とは反対側）に並設された複数の第１のリブ２ｂとを有している。本実施の形態においては、第１のリブ２ｂは直方体形状であり、第１の枠本体２ａの短手方向をその長手方向とし、第１の枠本体２ａの長手方向をその短手方向として、短手方向にランダムな間隔で並設されている。第１のリブ２ｂの各々は、第１の枠本体２ａの長手方向に平行に設けられた中間リブ２ｃによって、互いに接続されている。なお、短手方向とは、長手方向に直交する方向のことである。また、第１のリブ２ｂは板状であってもよい。
【００１９】
第２の枠体３は、第２の枠本体３ａと、第２の枠本体３ａの第１の枠体２に対向する側（音源側）に並設された複数の第２のリブ３ｂとを有している。本実施の形態においては、第２のリブ３ｂは、第１のリブ２ｂと同様に直方体形状であり、第２の枠本体３ａの短手方向をその長手方向とし、第２の枠本体３ａの長手方向をその短手方向として、短手方向にランダムな間隔で並設されている。第２のリブ３ｂの各々は、第２の枠本体３ａの長手方向に平行に設けられた中間リブ３ｃによって、互いに接続されている。なお、第２のリブ３ｂは板状であってもよい。
【００２０】
また、吸音構造体１０は、第１の枠体２と第２の枠体３との間に設けられた多孔板６を有している。多孔板６は、全面に多数の貫通孔６ａを有している。そして、多孔板６は、第１のリブ２ｂと第２のリブ３ｂとで狭持されている。具体的には、多孔板６は、両側から張力がかけられながら、両端が固定されることによって、多孔板６に張力が生じている状態で、第１のリブ２ｂと第２のリブ３ｂとで狭持されている。
【００２１】
また、第１の枠体２は、第１の枠本体２ａの第２の枠体３に対向する側の両端に、第１の側壁２ｄを有しており、第２の枠体３は、第２の枠本体３ａの第１の枠体２に対向する側の両端に、第２の側壁３ｄを有している。第２の側壁３ｄは、多孔板６が第１のリブ２ｂと第２のリブ３ｂとで狭持された際に、多孔板６を介して第１の側壁２ｄに当接するようにされている。
【００２２】
多孔面１ｂの貫通孔１ａ、および、多孔板６の貫通孔６ａは、パンチング加工、エンボス加工、又は、他の任意の加工により、円形状に形成されている。なお、貫通孔１ａ，６ａは、円形状に限定されず、スリット状などであってもよい。多孔面１ｂの貫通孔１ａは、多孔板６の貫通孔６ａよりも、その直径が若干大きく形成されている。
【００２３】
ここで、多孔板６及び箱部材１は、鉄やアルミニウムなどの金属や合成樹脂や繊維強化複合材などにより形成されている。なお、多孔板６及び箱部材１は、リサイクル時の分別処理を不要にするように、同一の材質で形成されていることが望ましい。本実施の形態においては、多孔板６及び箱部材１は、鋼板（例えば、高耐候性メッキ鋼板）により形成されている。これにより、多孔板６及び箱部材１の製造コストを低く抑えることができる。
【００２４】
また、多孔板６、多孔面１ｂ及び閉塞面１ｃは、矩形平板形状を有しているが、例えば、円形形状、楕円形状及び三角形形状の平面を有していてもよい。また、多孔板６は、平板ではなく薄膜であってもよく、例えば、アルミ箔などの金属製の薄膜や塩化ビニルなどの樹脂製の薄膜などを適用できる。
【００２５】
また、第１の枠体２および第２の枠体３は、非電導体である樹脂で形成されている。具体的には、第１の枠体２は、第１の枠本体２ａと第１のリブ２ｂと第１の側壁２ｄと中間リブ２ｃとが、樹脂により一体成型されている。第２の枠体３についても同様である。これにより、第１のリブ２ｂと第２のリブ３ｂとで狭持される多孔板６の電食を防止することができる。なお、第１の枠体２および第２の枠体３は、樹脂以外の非電導体で形成されていてもよい。
【００２６】
図１のＡ−Ａ断面図である図２に示すように、箱部材１の内部は、多孔板６、第１のリブ２ｂ、及び、第２のリブ３ｂによって、複数の空間に分割されている。具体的には、箱部材１の内部は、隣り合う２つの第１のリブ２ｂと多孔面１ｂと多孔板６とで仕切られた複数の空間１１ａと、隣り合う２つの第２のリブ３ｂと閉塞面１ｃと多孔板６とで仕切られた複数の空間１１ｂとに分割されている。そして、これらの空間１１ａ，１１ｂは、ヘルムホルツ共鳴原理によって共鳴周波数の音を吸音するように構成されている。そして、多孔面１ｂを通過した音は、第１のリブ２ｂ同士の間隔、または、第２のリブ３ｂ同士の間隔を半波長とする周波数以下の周波数で、箱部材１の内部を進行することになる。これにより、多孔板６を通過してからの音の広がりが防止される。
【００２７】
また、多孔面１ｂと多孔板６との間には、空気層１２ａが形成されているとともに、多孔板６と閉塞面１ｃとの間には、空気層１２ｂが形成されている。そして、空気層１２ａ，１２ｂの層厚ｄ１，ｄ２、多孔面１ｂ及び多孔板６の開口率β１，β２、板厚ｔ１，ｔ２及び貫通孔１ａ，６ａの直径φ１，φ２からなるパラメータは、多孔面１ｂ及び多孔板６の貫通孔１ａ，６ａを通過する空気に対して粘性作用を生じさせるように設定されている。これにより、貫通孔１ａ，６ａを通過する空気に粘性減衰作用が発生すると、空気振動が熱エネルギへと変換されて、空気の振動に減衰性が生じる結果、比較的広い周波数帯域で高い吸音効果が発揮されることとなる。
【００２８】
ここで、複数の第１のリブ２ｂと複数の第２のリブ３ｂとで多孔板６が狭持されることによって、多孔板６の複数の部分が狭持されているから、音圧による多孔板６の振動が抑制される。これにより、吸音性能の低下を防止することができる。
【００２９】
また、図２に示すように、第１のリブ２ｂと第２のリブ３ｂとは、互いに対向しない位置に設けられている。このため、第１のリブ２ｂ同士で仕切られた空間（隣り合う２つの第１のリブ２ｂと多孔面１ｂと多孔板６とで仕切られた空間）１１ａと、第２のリブ３ｂ同士で仕切られた空間（隣り合う２つの第２のリブ３ｂと閉塞面１ｃと多孔板６とで仕切られた空間）１１ｂとが、リブの並設方向にずれている。これにより、第１のリブ２ｂ同士で仕切られた空間１１ａと、第２のリブ３ｂ同士で仕切られた空間１１ｂとが、多孔板６を挟んで連通されている。
【００３０】
ここで、第１のリブ２ｂ同士で仕切られた空間１１ａおよび第２のリブ３ｂ同士で仕切られた空間１１ｂにおいては、音が進行する方向に直交する方向に共鳴現象がそれぞれ発生する。しかしながら、第１のリブ２ｂ同士で仕切られた空間１１ａと第２のリブ３ｂ同士で仕切られた空間１１ｂとが、リブの並設方向にずれていることによって、両者が多孔板６を挟んで連通されているから、共鳴現象が緩和される。これにより、吸音性能を更に向上させることができる。
【００３１】
また、第１のリブ２ｂは、多孔板６に直交する方向の長さｈ１が第１の側壁２ｄの長さｈ３よりも長くされている。同様に、第２のリブ３ｂは、多孔板６に直交する方向の長さｈ２が第２の側壁３ｄの長さｈ４よりも長くされている。このため、多孔板６が第１のリブ２ｂと第２のリブ３ｂとで狭持され、多孔板６を介して第１の側壁２ｄに第２の側壁３ｄが当接した際に、多孔板６がリブの並設方向に沿って波状に変形されることになる。これにより、第１のリブ２ｂの先端において多孔板６に張力が生じるとともに、第２のリブ３ｂの先端において多孔板６に張力が生じるから、多孔板６の振動を一層抑制することができる。また、多孔板６が波状に変形されることで、音に対向する表面積が増加されるから、吸音性能を更に向上させることができる。
【００３２】
なお、本実施の形態では、第１のリブ２ｂの長さｈ１が第１の側壁２ｄの長さｈ３よりも長くされ、且つ、第２のリブ３ｂの長さｈ２が第２の側壁３ｄの長さｈ４よりも長くされているが、第１のリブ２ｂの長さｈ１が第１の側壁２ｄの長さｈ３よりも長くされているのに対して、第２のリブ３ｂの長さｈ２が、第２の側壁３ｄの長さと同じであるか、又は、短くされていてもよい。同様に、第２のリブ３ｂの長さｈ２が第２の側壁３ｄの長さｈ４よりも長くされているのに対して、第１のリブ２ｂの長さｈ１が、第１の側壁２ｄの長さと同じであるか、又は、短くされていてもよい。
【００３３】
また、図２に示すように、第１のリブ２ｂは、ランダムな間隔で並設されている。具体的には、第１のリブ２ｂは、間隔ａ、間隔ｂ、間隔ａの順番で並設されている。一方、第２のリブ３ｂは、一定の間隔ｃで並設されている。このため、第１のリブ２ｂ同士で仕切られた空間１１ａが、異なる複数のサイズにされている。
【００３４】
ここで、ヘルムホルツ共鳴原理で吸音可能な共鳴周波数は、第１のリブ２ｂ同士で仕切られた空間１１ａのサイズや、第２のリブ３ｂ同士で仕切られた空間１１ｂのサイズで決定される。このため、第１のリブ２ｂ同士で仕切られた空間１１ａが、異なる複数のサイズにされることによって、ヘルムホルツ共鳴原理で吸音可能な共鳴周波数の数が多くなるから、幅広い周波数の音を吸音することができる。
【００３５】
なお、第２のリブ３ｂについても、第１のリブ２ｂと同様に、ランダムな間隔で並設されていてよい。この場合、第２のリブ３ｂ同士で仕切られた空間１１ｂが、異なる複数のサイズにされることによって、ヘルムホルツ共鳴原理で吸音可能な共鳴周波数の数がさらに多くなるから、さらに幅広い周波数の音を吸音することができる。
【００３６】
図３は、本実施の形態における吸音構造体１０と、従来の構成の吸音構造体との吸音率を示すグラフである。図３から、１０００Ｈｚの周波数の周辺において、吸音率の低下が抑制されていることがわかる。
【００３７】
［第１の実施の形態の概要］
以上のように、本実施の形態の吸音構造体１０は、音源からの音を吸収する吸音構造体１０であって、内部に空間が形成され、多数の貫通孔１ａを備えた多孔面１ｂを有する箱部材１と、箱部材１の内部に対向配置された第１の枠体２および第２の枠体３と、第１の枠体２と第２の枠体３との間に設けられ、多数の貫通孔６ａを有する多孔板６と、を有し、第１の枠体２は、第１の枠本体２ａと、第１の枠本体２ａの第２の枠体３に対向する側に所定の間隔で並設された複数の第１のリブ２ｂとを有し、第２の枠体３は、第２の枠本体３ａと、第２の枠本体３ａの第１の枠体２に対向する側に所定の間隔で並設された複数の第２のリブ３ｂとを有し、多孔板６は、第１のリブ２ｂと第２のリブ３ｂとで狭持されている構成にされている。
【００３８】
上記の構成によれば、複数の第１のリブ２ｂと複数の第２のリブ３ｂとで多孔板６が狭持されることによって、多孔板６の複数の部分が狭持されているから、音圧による多孔板６の振動が抑制される。これにより、吸音性能の低下を防止することができる。
【００３９】
また、本実施の形態の吸音構造体１０において、第１のリブ２ｂと第２のリブ３ｂとは、互いに対向しない位置に配置されている構成にされている。上記の構成によれば、第１のリブ２ｂと第２のリブ３ｂとが、互いに対向しない位置に配置されていることによって、第１のリブ２ｂ同士で仕切られた空間１１ａと、第２のリブ３ｂ同士で仕切られた空間１１ｂとが、リブの並設方向にずれている。ここで、第１のリブ２ｂ同士で仕切られた空間１１ａおよび第２のリブ３ｂ同士で仕切られた空間１１ｂにおいては、音が進行する方向に直交する方向に共鳴現象がそれぞれ発生する。しかしながら、第１のリブ２ｂ同士で仕切られた空間１１ａと第２のリブ３ｂ同士で仕切られた空間１１ｂとが、リブの並設方向にずれていることによって、両者が多孔板６を挟んで連通されているから、共鳴現象が緩和される。これにより、吸音性能を更に向上させることができる。
【００４０】
また、本実施の形態の吸音構造体１０において、第１の枠体２は、第１の枠本体２ａの第２の枠体３に対向する側の両端に、第１の側壁２ｄを有しており、第２の枠体３は、第２の枠本体３ａの第１の枠体２に対向する側の両端に、多孔板６が第１のリブ２ｂと第２のリブ３ｂとで狭持された際に第１の側壁２ｄに当接する第２の側壁３ｄを有しており、第１のリブ２ｂは、多孔板６に直交する方向の長さｈ１が第１の側壁２ｄよりも長い構成にされている。上記の構成によれば、第１のリブ２ｂは、多孔板６に直交する方向の長さｈ１が第１の側壁２ｄよりも長いから、多孔板６が第１のリブ２ｂと第２のリブ３ｂとで狭持され、第１の側壁２ｄに第２の側壁３ｄが当接した際に、第１のリブ２ｂによって、多孔板６がリブの並設方向に沿って波状に変形されることになる。これにより、第１のリブ２ｂの先端において多孔板６に張力が生じるから、多孔板６の振動を一層抑制することができる。また、多孔板６が第１のリブ２ｂによって波状に変形されることで、音に対向する表面積が増加されるから、吸音性能を更に向上させることができる。
【００４１】
また、本実施の形態の吸音構造体１０において、第２のリブ３ｂは、多孔板６に直交する方向の長さｈ２が第２の側壁３ｄよりも長い構成にされている。上記の構成によれば、第２のリブ３ｂは、多孔板６に直交する方向の長さｈ２が第２の側壁３ｄよりも長いから、多孔板６が第１のリブ２ｂと第２のリブ３ｂとで狭持され、第１の側壁２ｄに第２の側壁３ｄが当接した際に、第２のリブ３ｂによって、多孔板６がリブの並設方向に沿って更に波状に変形されることになる。これにより、第２のリブ３ｂの先端において多孔板６に張力が生じるから、多孔板６の振動を更に一層抑制することができる。また、多孔板６が第１のリブ２ｂと第２のリブ３ｂとによって波状に変形されることで、音に対向する表面積が一層増加されるから、吸音性能を更に一層向上させることができる。
【００４２】
また、本実施の形態の吸音構造体１０において、第１のリブ２ｂ及び／又は第２のリブ３ｂは、ランダムな間隔で並設されている構成にされている。上記の構成によれば、第１のリブ２ｂ及び／又は第２のリブ３ｂが、ランダムな間隔で並設されることによって、第１のリブ２ｂ同士で仕切られた空間１１ａ及び／又は第２のリブ３ｂ同士で仕切られた空間１１ｂが、異なる複数のサイズにされている。これにより、ヘルムホルツ共鳴原理で吸音可能な共鳴周波数の数が多くなるから、幅広い周波数の音を吸音することができる。
【００４３】
また、本実施の形態の吸音構造体１０において、第１の枠体２および第２の枠体３は、非電導体（樹脂等）で形成されている構成にされている。上記の構成によれば、第１の枠体２および第２の枠体３を非電導体で形成することによって、第１のリブ２ｂと第２のリブ３ｂとで狭持される多孔板６の電食を防止することができる。
【００４４】
［第２の実施の形態］
図４は、本発明の第２の実施の形態における吸音構造体２０の断面図である。図４に示すように、本実施の形態の吸音構造体２０は、第１の実施の形態における吸音構造体１０の構成に加えて、第１の枠体２と第２の枠体３との間に、非電導体である樹脂で形成された第３の枠体４を更に有している。そして、第１の枠体２と第３の枠体４との間および第２の枠体３と第３の枠体４との間に、多孔板６がそれぞれ設けられている。
【００４５】
第３の枠体４は、第３の枠本体４ａと、第３の枠本体４ａの第２の枠体３に対向する側（反音源側）に並設された複数の第１のリブ２ｂと、第３の枠本体４ａの第１の枠体２に対向する側（音源側）に並設された複数の第２のリブ３ｂとを有している。第３の枠体４が有する第１のリブ２ｂは、第１の枠体２が有する第１のリブ２ｂと同様であり、第３の枠体４が有する第２のリブ３ｂは、第２の枠体３が有する第２のリブ３ｂと同様である。
【００４６】
また、第３の枠体４は、第３の枠本体４ａの第２の枠体３に対向する側の両端に、第１の側壁２ｄを有しているとともに、第３の枠本体４ａの第１の枠体２に対向する側の両端に、第２の側壁３ｄを有している。第３の枠体４が有する第１の側壁２ｄは、第１の枠体２が有する第１の側壁２ｄと同様であり、第３の枠体４が有する第２の側壁３ｄは、第２の枠体３が有する第２の側壁３ｄと同様である。
【００４７】
そして、一の多孔板６を狭持する第１のリブ２ｂ及び第２のリブ３ｂを一対のリブとすると、多孔板６の各々が、異なる一対のリブで狭持されている。
【００４８】
図４に示すように、箱部材１の内部は、２つの多孔板６、２つの第１のリブ２ｂ、及び、２つの第２のリブ３ｂによって、複数の空間に分割されている。具体的には、箱部材１の内部は、多孔面１ｂと多孔板６と隣り合う２つの第１のリブ２ｂとで仕切られた空間１１ａと、閉塞面１ｃと多孔板６と隣り合う２つの第２のリブ３ｂとで仕切られた空間１１ｂと、２つの多孔板６と隣り合う２つの第１のリブ２ｂとで仕切られた空間１１ｃと、２つの多孔板６と隣り合う２つの第２のリブ３ｂとで仕切られた空間１１ｄと、に分割されている。なお、空間１１ｃと空間１１ｄとは、第３の枠本体４ａを挟んで連通されている。そして、これらの空間１１ａ，１１ｂ、１１ｃ、１１ｄは、ヘルムホルツ共鳴原理によって共鳴周波数の音を吸音するように構成されている。そして、多孔面１ｂを通過した音は、第１のリブ２ｂ同士の間隔、または、第２のリブ３ｂ同士の間隔を半波長とする周波数以下の周波数で、箱部材１の内部を進行することになる。
【００４９】
また、多孔面１ｂと多孔板６との間には、空気層１２ａが形成され、多孔板６と閉塞面１ｃとの間には、空気層１２ｂが形成されているとともに、２つの多孔板６の間には、空気層１２ｃが形成されている。そして、空気層１２ａ，１２ｂ，１２ｃの層厚ｄ１，ｄ２，ｄ３、多孔面１ｂ及び多孔板６，６の開口率β１，β２，β３、板厚ｔ１，ｔ２，ｔ３及び貫通孔１ａ，６ａ，６ａの直径φ１，φ２，φ３からなるパラメータは、多孔面１ｂ及び多孔板６，６の貫通孔１ａ，６ａ，６ａを通過する空気に対して粘性作用を生じさせるように設定されている。これにより、貫通孔１ａ，６ａ，６ａを通過する空気に粘性減衰作用が発生すると、空気振動が熱エネルギへと変換されて、空気の振動に減衰性が生じる結果、比較的広い周波数帯域で高い吸音効果が発揮されることとなる。
【００５０】
なお、本実施の形態においては、第３の枠体４の数が１つであり、これにより、多孔板６の数が２つであるが、１以上の第３の枠体４を有していてもよい。この場合、多孔板６の数は、第３の枠体４の数に「１」を足した数となる。
【００５１】
このように、第３の枠体４の数を増減させることによって、多孔板６の数を容易に増減させることができる。
【００５２】
その他の点は、第１の実施の形態と同様である。
【００５３】
［第２の実施の形態の概要］
以上のように、本実施の形態の吸音構造体２０においては、第１の枠体２と第２の枠体３との間に設けられた１以上の第３の枠体４を更に有し、第３の枠体４は、第３の枠本体４ａと、第３の枠本体４ａの第２の枠体３に対向する側に所定の間隔で並設された複数の第１のリブ２ｂと、第３の枠本体４ａの第１の枠体２に対向する側に所定の間隔で並設された複数の第２のリブ３ｂとを有し、多孔板６は複数であって、一の多孔板６を狭持する第１のリブ２ｂ及び第２のリブ３ｂを一対のリブとすると、それぞれが異なる一対のリブで狭持されている構成にされている。上記の構成によれば、第３の枠体４の数を増減させることによって、多孔板６の数を容易に増減させることができる。
【００５４】
［各実施の形態の変形例］
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００５５】
例えば、第１の実施の形態において、多孔板６が、リブの並設方向に沿って波状に変形される構成にされているが、この構成に限定されるものではなく、図５に示すように、第１のリブ２２ｂ及び第２のリブ２３ｂが、リブの長手方向に沿った波状面を有しており、多孔板６は、第１のリブ２２ｂと第２のリブ２３ｂとで狭持された際に、リブの並設方向に沿って波状に変形されるとともに、リブの長手方向に沿って波状に変形される構成にされていてもよい。なお、第１の側壁２２ｄおよび第２の側壁２３ｄも同様に波状面を有していてよい。この場合、リブの長手方向においても多孔板６に張力が生じるから、多孔板６の振動を一層抑制することができる。また、多孔板６がリブの並設方向およびリブの長手方向に沿って波状に変形されることによって、音に対向する表面積が一層増加されるから、吸音性能を一層向上させることができる。
【図面の簡単な説明】
【００５６】
【図１】吸音構造体の構成図。
【図２】吸音構造体の断面図。
【図３】吸音率を示すグラフ。
【図４】吸音構造体の断面図。
【図５】吸音構造体の構成図。
【符号の説明】
【００５７】
１    箱部材
１ａ，６ａ    貫通孔
１ｂ    多孔面
２    第１の枠体
２ａ    第１の枠本体
２ｂ    第１のリブ
２ｄ    第１の側壁
３    第２の枠体
３ａ    第２の枠本体
３ｂ    第２のリブ
３ｄ    第２の側壁
４    第３の枠体
４ａ    第３の枠本体
６    多孔板
１０，２０    吸音構造体
【図１】
2010061078.tif 000003
【図２】
2010061078.tif 000004
【図３】
2010061078.tif 000005
【図４】
2010061078.tif 000006
【図５】
2010061078.tif 000007